(57)【要約】【課題】  ライセンスを購入したＳＷ使用者がソフトウェア製品を有効化する際の作業を省力化するための技術を提供する。【解決手段】  ソフトウェア製品をコンピュータにて使用するためのライセンスの有効化を申請する情報であるライセンス有効化申請情報を生成する際、ソフトウェア製品のライセンスの保有を示すライセンス固有情報を記録した機械読取可能な記録媒体であるライセンス媒体から、当該ライセンス媒体を読取可能な読取装置を介して、ソフトウェア製品を使用するコンピュータが、ライセンス固有情報を読み出す。ライセンス固有情報と、コンピュータにおけるソフトウェア製品の使用環境を示すソフトウェア使用環境情報とに基づいて、ライセンス有効化申請情報をコンピュータが生成する。【選択図】  図１
2008262316.tif 000002
【特許請求の範囲】
【請求項１】
ソフトウェア製品をコンピュータにて使用するためのライセンスの有効化を申請する情報であるライセンス有効化申請情報を生成する方法において、
ソフトウェア製品のライセンスの保有を示すライセンス固有情報を記録した機械読取可能な記録媒体であるライセンス媒体から、当該ライセンス媒体を読取可能な読取装置を介して、前記ソフトウェア製品を使用するコンピュータが、前記ライセンス固有情報を読み出す段階と、
前記ライセンス固有情報と、前記コンピュータにおける前記ソフトウェア製品の使用環境を示すソフトウェア使用環境情報とに基づいて、前記ライセンス有効化申請情報を前記コンピュータが生成する段階と
を含むことを特徴とするソフトウェアライセンス有効化申請情報の生成方法。
【請求項２】
請求項１に記載のソフトウェアライセンス有効化申請情報の生成方法において、
前記読み出し段階は、暗号化されたライセンス固有情報をライセンス媒体から読み出し、
前記読み出し段階と前記生成段階との間に、暗号化されたライセンス固有情報を復号化する段階を更に含む
ことを特徴とするソフトウェアライセンス有効化申請情報の生成方法。
【請求項３】
ソフトウェア製品をコンピュータにて使用するためのライセンスの有効化を申請する情報であるライセンス有効化申請情報を生成するシステムにおいて、
ソフトウェア製品のライセンスの保有を示すライセンス固有情報を記録した機械読取可能な記録媒体であるライセンス媒体を読取可能な読取装置と、
前記ソフトウェア製品を使用するコンピュータであって、前記読取装置を介して前記ライセンス固有情報を読み出し、前記ライセンス固有情報と、前記コンピュータにおける前記ソフトウェア製品の使用環境を示すソフトウェア使用環境情報とに基づいて、前記ライセンス有効化申請情報を生成する前記コンピュータと
を備えることを特徴とするソフトウェアライセンス有効化申請情報生成システム。
【請求項４】
請求項３に記載のソフトウェアライセンス有効化申請情報生成システムにおいて、
前記ライセンス媒体は、暗号化されたライセンス固有情報を記録した記録媒体であり、
暗号化されたライセンス固有情報を復号化する復号化処理装置を更に備える
ことを特徴とするソフトウェアライセンス有効化申請情報生成システム。
【請求項５】
ソフトウェア製品をコンピュータにて使用するためのライセンスの有効化を申請する情報であるライセンス有効化申請情報を生成する処理をコンピュータに実行させるコンピュータプログラムにおいて、
ソフトウェア製品のライセンスの保有を示すライセンス固有情報を記録した機械読取可能な記録媒体であるライセンス媒体から、当該ライセンス媒体を読取可能な読取装置を介して、前記ライセンス固有情報を読み出す処理と、
前記ライセンス固有情報と、前記コンピュータにおける前記ソフトウェア製品の使用環境を示すソフトウェア使用環境情報とに基づいて、前記ライセンス有効化申請情報を生成する処理と
を前記ソフトウェア製品を使用するコンピュータに実行させることを特徴とするソフトウェアライセンス有効化申請情報の生成プログラム。
【請求項６】
請求項５に記載のソフトウェアライセンス有効化申請情報生成プログラムにおいて、
前記ライセンス媒体は、暗号化されたライセンス固有情報を記録した記録媒体であり、
暗号化されたライセンス固有情報を復号化する復号化処理を更に前記コンピュータに実行させる
ことを特徴とするソフトウェアライセンス有効化申請情報の生成プログラム。
【発明の詳細な説明】
【技術分野】
【０００１】
本発明はソフトウェア製品に関し、特に、動作させるのに先立ってライセンスを有効化する手続を要するソフトウェア製品に関する。
【背景技術】
【０００２】
一般に、産業向けの商用ソフトウェアは、使用される様々な機器環境に対応するために複雑なライセンス体系を有する。この種のソフトウェア製品は、その使用に先立ってライセンスの購入及び有効化を求めることが多い。
【０００３】
この種のソフトウェア製品を使用する者（以下ＳＷ使用者と記す）は、そのソフトウェア製品を販売する者（以下ＳＷ販売者と記す）からライセンスを購入後、そのライセンスを有効化する手続を行う。有効化を行うことにより、ＳＷ使用者はそのソフトウェア製品を正規に使用することが出来る。このとき、購入したライセンス数の範囲内でソフトウェア製品が使用されていることを確認するため、ソフトウェア製品を使用する機器を特定する必要がある。
【０００４】
図６を参照して従来のソフトウェア製品について説明する。一のソフトウェア製品６０１は、ソフトウェア製品を記録したｍ枚の記録媒体（以下ソフトウェア媒体と記す）６０２と、ｎ件のライセンスのためのライセンス固有情報を記載した書面であるライセンス証書６０３からなる。ここでｍ、ｎは共に自然数である。
【０００５】
ソフトウェア製品６０１の有効化は概ね次のようにして行われる。
【０００６】
（１）ＳＷ使用者はソフトウェア製品６０１を購入する。
【０００７】
（２）ＳＷ使用者は、購入したソフトウェア製品６０１のライセンス証書６０３に記載されているライセンス固有情報と、ソフトウェア製品６０１を使用する機器、機器の設定等の使用環境に関する情報（以下ソフトウェア使用環境情報と記す）とを、ＳＷ販売者に通知する。
【０００８】
（３）ＳＷ販売者は、通知されたライセンス情報及び使用環境情報に基づいて、ソフトウェア製品６０１を有効化するための有効化キーを発行し、ＳＷ使用者に通知する。
【０００９】
（４）ＳＷ使用者は、ソフトウェア媒体６０３を用いて、ソフトウェア使用環境情報にて指定した各機器にソフトウェア製品２０１をインストールすると共に、各機器にてソフトウェア製品６０１を有効化する処理を実行し、通知された有効化キーを入力する。
【００１０】
このように、従来のソフトウェア製品の有効化では、ライセンス固有情報とソフトウェア使用環境情報とをＳＷ販売者に通知する段階（２）と、通知した機器それぞれに有効化キーを入力することにより、各機器でソフトウェア製品６０１を有効化する段階（４）の両方を経る必要があった。
【００１１】
また、従来の有効化では、ＳＷ販売者がＳＷ使用者にライセンス固有情報を通知するのに先立って、ＳＷ使用者は、ライセンス証書６０３を目視してライセンス固有情報を読み取り、機器毎に対応するライセンス固有情報をキーボード等の入力装置を用いて入力する必要があった。一般にライセンス証書６０３は封筒等に収めた状態でソフトウェア製品６０１に同梱される。このため、特に、一ライセンス毎に一枚のライセンス証書を発行する場合、ライセンス数だけ封筒の開封とライセンス固有情報の目視による読み取りを行う必要があった。
【００１２】
本発明に関連する従来技術として特許文献１及び２を挙げる。これらはいずれも有効化されたライセンスを管理する方法に関するものであり、個々の機器でライセンスを有効化する際の作業の省力化については言及していない。
【００１３】
【特許文献１】特開２００１−３３１２３２
【特許文献２】特開２００５−１７４３１８
【発明の開示】
【発明が解決しようとする課題】
【００１４】
本発明はこのような状況に鑑みてなされたものであり、本発明が解決しようとする課題は、ライセンスを購入したＳＷ使用者がソフトウェア製品を有効化する際の作業を省力化するための技術を提供することである。
【課題を解決するための手段】
【００１５】
上述の課題を解決するため、本発明は以下のようなソフトウェアライセンスの有効化申請情報を生成する方法、システム及びコンピュータプログラムを提供する。
【００１６】
本発明は、その一側面として、ソフトウェア製品をコンピュータにて使用するためのライセンスの有効化を申請する情報であるライセンス有効化申請情報を生成する方法において、ソフトウェア製品のライセンスの保有を示すライセンス固有情報を記録した機械読取可能な記録媒体であるライセンス媒体から、当該ライセンス媒体を読取可能な読取装置を介して、ソフトウェア製品を使用するコンピュータが、ライセンス固有情報を読み出す段階と、ライセンス固有情報と、コンピュータにおけるソフトウェア製品の使用環境を示すソフトウェア使用環境情報とに基づいて、ライセンス有効化申請情報をコンピュータが生成する段階とを含むことを特徴とするソフトウェアライセンス有効化申請情報の生成方法を提供する。
【００１７】
ライセンス媒体は例えばＲＦＩＤのような無線ＩＣタグ、一次元、二次元等のバーコードである。ライセンス媒体が無線ＩＣタグの場合、読取装置は無線ＩＣタグリーダーであり、バーコードの場合、読取装置はバーコードリーダーである。
【００１８】
読み出し段階は、暗号化されたライセンス固有情報をライセンス媒体から読み出し、読み出し段階と生成段階との間に、暗号化されたライセンス固有情報を復号化する段階を更に含むこととしてもよい。このようにすれば、ライセンス固有情報を暗号化した状態でライセンス媒体に記憶しておくことにより、ソフトウェア製品の流通過程で第三者がライセンス媒体からライセンス固有情報を読み出して、不正にライセンスの有効化申請情報を生成するのを防止することが可能となる。
【００１９】
また、本発明は、他の側面として、ソフトウェア製品をコンピュータにて使用するためのライセンスの有効化を申請する情報であるライセンス有効化申請情報を生成するシステム（ＳＷ使用者側サブシステム１０２）において、ソフトウェア製品のライセンスの保有を示すライセンス固有情報を記録した機械読取可能な記録媒体であるライセンス媒体を読取可能な読取装置（読取装置５０１）と、ソフトウェア製品を使用するコンピュータであって、読取装置を介してライセンス固有情報を読み出し、ライセンス固有情報と、コンピュータにおけるソフトウェア製品の使用環境を示すソフトウェア使用環境情報とに基づいて、ライセンス有効化申請情報を生成するコンピュータ（顧客端末５０２）とを備えることを特徴とするソフトウェアライセンス有効化申請情報生成システムを提供する。
【００２０】
更に、本発明は、他の側面として、ソフトウェア製品をコンピュータにて使用するためのライセンスの有効化を申請する情報であるライセンス有効化申請情報を生成する処理をコンピュータに実行させるコンピュータプログラムにおいて、ソフトウェア製品のライセンスの保有を示すライセンス固有情報を記録した機械読取可能な記録媒体であるライセンス媒体から、当該ライセンス媒体を読取可能な読取装置を介して、ライセンス固有情報を読み出す処理と、ライセンス固有情報と、コンピュータにおけるソフトウェア製品の使用環境を示すソフトウェア使用環境情報とに基づいて、ライセンス有効化申請情報を生成する処理とをソフトウェア製品を使用するコンピュータに実行させることを特徴とするソフトウェアライセンス有効化申請情報の生成プログラムを提供する。
【発明の効果】
【００２１】
本発明によれば、ライセンス固有情報が書き込まれた電子的に読み取り可能な媒体を添付し、ソフトウェアライセンス固有情報の自動抽出を行うことにより、ＳＷ使用者がソフトウェア製品を導入する際のライセンスにまつわる手間を著しく低減することが可能となる。
【発明を実施するための最良の形態】
【００２２】
本発明の実施の形態であるソフトウェアライセンス有効化システム１００について説明する。図１に示すように、ソフトウェアライセンス有効化システム１００は、ＳＷ販売者側サブシステム１０１及びＳＷ使用者側サブシステム１０２からなる。
【００２３】
ＳＷ販売者は図２に示すようなソフトウェア製品３０１を販売する。ソフトウェア製品３０１はソフトウェア媒体３０２及びライセンス媒体３０３からなる。
【００２４】
ソフトウェア媒体３０２はソフトウェア製品３０１の本体ソフトウェアを記録した機械読み取り可能な記録媒体であり、ｍ枚の記録媒体からなる。ｍは自然数である。ソフトウェア媒体３０２に用いる記録媒体としては例えばＣＤ−ＲＯＭ、ＤＶＤ−ＲＯＭを用いることとしてもよい。
【００２５】
ライセンス媒体３０３はライセンス固有情報を記録した機械読み取り可能な記録媒体である。ライセンス媒体３０３はｎ件のライセンスのライセンス固有情報を記録している。ｎは自然数である。ライセンス媒体３０３に用いる記録媒体としては、例えば、ＲＦＩＤ（Ｒａｄｉｏ  Ｆｒｅｑｕｅｎｃｙ  ＩＤｅｎｔｉｆｉｃａｔｉｏｎ）で用いられるＲＦタグのような電子タグ、１次元、２次元のバーコードを用いることとしてもよい。ライセンス固有情報は図３に示すような構造を有するデータであり、ソフトウェア製品３０１の製品名、型番、バージョン、製品番号、有償ライセンス情報からなる。有償ライセンス情報はひとつにつきひとつの機器での使用を認めるライセンスを示す。あるＳＷ使用者に対して発行されるライセンス固有情報は、そのＳＷ使用者に対して発行されるライセンス数に相当する有償ライセンス情報を含む。図３に示すライセンス固有情報はｎ件のライセンスに相当する。
【００２６】
図１に戻って、ＳＷ販売者側サブシステム１０１は媒体製造部１１０を備える。媒体製造部１１０はライセンス媒体３０３に書き込みを行う書込装置であり、ソフトウェア固有情報１１１及びソフトウェア購入者情報１１２を格納する記録媒体を備える。ソフトウェア固有情報は、ＳＷ販売者が販売しているソフトウェア製品それぞれの製品名、型番、バージョン、製品番号からなる。ソフトウェア購入者情報は、ＳＷ販売者に対してソフトウェア製品を発注した者それぞれの氏名、名称、住所、所在地、郵便番号、電話番号、発注したソフトウェア製品の製品名、発注したライセンス数等からなる。書込装置はライセンス媒体３０３の記録媒体の種類に応じた装置であり、例えば、ライセンス媒体３０３がＲＦタグならば書込装置はＲＦタグライターであり、ライセンス媒体３０３がバーコードであるならば書込装置はプリンタである。媒体製造部１１０は、ソフトウェア固有情報及びソフトウェア購入者情報からライセンス固有情報を生成し、ライセンス媒体３０３に書き込む。
【００２７】
ＳＷ使用者側サブシステム１０２は媒体読取部１２０及び有効化申請情報生成部１３０を備える。
【００２８】
媒体読取部１２０はライセンス媒体３０からの読み出しを行う読取装置である。媒体製造部１１０の書込装置と同様に、読取装置はライセンス媒体３０３の記録媒体の種類に応じた装置であり、例えば、ライセンス媒体３０３がＲＦタグならば読取装置はＲＦタグリーダーであり、ライセンス媒体３０３がバーコードであるならば書込装置はバーコードリーダーである。
【００２９】
有効化申請情報生成部１３０は、ライセンス固有情報を記憶する記録装置１３１、及び、ソフトウェア使用環境情報を記憶する記憶装置１３２を備える。有効化申請情報生成部１３０は、ライセンス固有情報及びソフトウェア使用環境情報を元に、ライセンス有効化申請情報１４０を生成する。
【００３０】
図４を参照すると、ソフトウェア使用環境情報は、顧客ＩＤ、使用メディア番号、社名、申請者名、電話番号（Ｔｅｌ）、メールアドレス（Ｅ−ｍａｉｌ）、国、ホスト情報からなる。ホスト情報は、ホスト名、機種名、マシンＩＤ、ＯＳバージョンからなる。ソフトウェア使用環境情報はＳＷ使用者により予め入力され、記憶装置１３２に格納されている。
【００３１】
次に、ソフトウェアライセンス有効化システム１００の動作について説明する。
【００３２】
（ステップ０）ＳＷ使用者がＳＷ販売者に対してソフトウェア製品３０１を発注する。このときＳＷ使用者は発注するソフトウェア製品の製品名、発注したライセンス数等をＳＷ販売者に通知する。また、このとき或いはこれ以前に、ＳＷ使用者は氏名、名称、住所、所在地、郵便番号、電話番号をＳＷ販売者に通知する。
【００３３】
（ステップ１）ＳＷ販売者は、通知されたソフトウェア製品３０１に対応するソフトウェア媒体３０２を用意すると共に、そのソフトウェア製品の製品名、型番、バージョン、製品番号、有償ライセンス情報からなるライセンス固有情報を、媒体製造部１１０の書込装置にてライセンス媒体３０３に書き込むことによってライセンス媒体３０３を製造し、別途製造したソフトウェア媒体３０２と共に同梱してソフトウェア製品３０１を製造する。そのソフトウェア製品の製品名、型番、バージョン及び製品番号は、記憶装置１１１から読み出す。有償ライセンス情報は、そのＳＷ使用者のソフトウェア購入者情報と、通知された製品名のソフトウェア製品に関するソフトウェア固有情報とを元に、媒体製造部１１０が生成する。
【００３４】
（ステップ２）ＳＷ販売者はＳＷ使用者にソフトウェア製品３０１を納品する。
【００３５】
（ステップ３）図５に示すように、ＳＷ使用者は、媒体読取部１２０の読取装置５０１を用いて、納入されたソフトウェア製品３０１のライセンス媒体３０３からライセンス固有情報を読み出し、有効化申請情報生成部１３０である顧客端末５０２に送信する。顧客端末５０２は例えばパーソナルコンピュータ、ワークステーション、ＰＤＡ（Ｐｅｒｓｏｎａｌ  Ｄｉｇｉｔａｌ  Ａｓｓｉｓｔａｎｃｅ）、携帯電話端末等の情報通信端末、各種の専用端末である。
【００３６】
（ステップ４）顧客端末５０２は、ライセンス固有情報と、予め記憶装置１３２に記憶したソフトウェア使用環境情報とを元に、ライセンス有効化申請情報１４０を生成する。
【００３７】
ステップ３及びステップ４は、具体的には、ソフトウェア製品３０１のインストールプログラムによって実行される。インストールプログラムは顧客端末５０２によって実行されるコンピュータプログラムであり、ソフトウェア媒体３０２に記憶されている。顧客端末５０２はインストールプログラムに従って次のように動作する。
【００３８】
ＳＷ使用者がソフトウェア媒体３０２を顧客端末５０２の読取装置にセットしてインストールプログラムを起動すると、顧客端末５０２は、ソフトウェア媒体３０２からソフトウェア製品のインストールを実行すると共に、ライセンス媒体３０３の記録媒体の種類に対応する読取装置５０１を介して、ライセンス媒体３０２からライセンス固有情報を読み出す処理を実行する。
【００３９】
次に、顧客端末５０２は、読み出したライセンス固有情報と、予め記憶装置１３２に格納されているソフトウェア使用環境情報を元に、ライセンス有効化申請情報１４０を生成する。ソフトウェア使用環境情報は、遅くともライセンス有効化情報を生成する前に、ＳＷ使用者が顧客端末を直接操作して有効化申請情報生成部に登録しておく。ソフトウェア使用環境情報は、ライセンス有効化申請情報１４０を生成する直前に、インストールプログラムが顧客端末５０２から収集することとしてもよい。
【００４０】
（ステップ５）顧客端末５０２はライセンス有効化申請情報１４０をＳＷ販売者宛に出力する。顧客端末５０２が備える不図示の書込装置を用いて記録媒体にライセンス有効化申請情報１４０を記憶し、その記録媒体をＳＷ販売者に届けることとしてもよいし、或いは、顧客端末５０２が不図示のデータ通信インタフェースを備え、インターネット等のデータ通信網を介してＳＷ販売者側サブシステム１０１に伝送することとしてもよい。
【００４１】
このように、ソフトウェアライセンス有効化システム１００では、ＳＷ販売者は、ソフトウェアライセンス出荷時に、ライセンス固有情報を機械読取可能な記録媒体（ライセンス媒体）に格納してソフトウェア製品に添付する。ＳＷ使用者はライセンス媒体と読取機器と組み合わせることでライセンス固有情報を自動的に抽出し、ライセンス固有情報とソフトウェア使用環境情報とを元にライセンス有効化申請情報を生成してＳＷ販売者に通知する。このため、ソフトウェアライセンス有効化システム１００によれば、ライセンス有効化申請情報を生成する際に、従来のようにＳＷ使用者がソフトウェア証書を目視して顧客端末に入力する必要がなく、ＳＷ使用者がソフトウェア製品を導入する際のライセンスにまつわる手間を著しく低減することが可能となる。
【００４２】
以上、本発明を実施の形態に即して説明したが、本発明はこれに限定されるものではなく、当業者の知識の範囲内で適宜改良できることは言うまでもない。
【００４３】
例えば、ソフトウェアライセンス有効化システム１００において、ライセンス固有情報を暗号化してライセンス媒体３０２に書き込むこととしてもよい。この場合、媒体製造部１１０は暗号化処理部を更に備え、媒体読取部１２０は復号化処理部を更に備える。媒体製造部１１０は、暗号化処理部にてライセンス固有情報を暗号化してライセンス媒体３０３に書き込む。媒体読取部１２０は、暗号化されたライセンス固有情報を復号化処理部にて復号化して平文のライセンス固有情報を取得し、以後のステップを行う。
【００４４】
復号化処理部は、顧客端末５０２で実行されるコンピュータプログラムとして実施されることとしてもよい。この場合、ＳＷ使用者はＳＷ販売者から復号化キー情報を予め入手しておく。ＳＷ販売者はＳＷ使用者に復号化キー情報を通知する。
【００４５】
或いは、復号化処理部は、特定の復号化キー情報に基づいて復号化処理を行う読取装置としてＳＷ販売者からＳＷ使用者に対して提供されることとしてもよい。この場合、読取装置は、外部から読み取り困難乃至不可能な記憶装置を備え、この記憶装置に復号化キー情報を格納していることが望ましい。
【００４６】
いずれの場合も、ＳＷ販売者側サブシステム１０１では、ＳＷ使用者、復号化キー情報、及び、復号化キー情報に対応した暗号化キー情報を互いに関連付けて、ソフトウェア購入者情報の一部として記憶装置１１２に格納する。また、媒体製造部１１０は、記憶装置１１２のソフトウェア購入者情報を参照し、ソフトウェア製品３０１を納入するＳＷ使用者に対応した暗号化キー情報に基づいてライセンス固有情報を暗号化した後、ライセンス媒体３０３に暗号化したライセンス固有情報の書き込みを行う。
【００４７】
これにより、対応する復号化キー情報にて復号化処理を実行する復号化処理部を備えるＳＷ使用者側サブシステム１０２ではライセンス固有情報を復号化することが出来る一方、異なる復号化キー情報にて復号化する復号化処理部を備える、或いは、復号化処理部を備えていないＳＷ使用者側サブシステム１０２ではライセンス有効化申請情報１４０を生成することが出来ない。これにより、ライセンスを有効化可能なＳＷ使用者を制限することが出来る。このため、例えばライセンス媒体３０３が、ＲＦＩＤ等のワイヤレス電子タグの場合や、梱包の外側に面して印刷されたバーコードである場合のように、ソフトウェア製品３０１を開梱することなく読み取り可能な記録媒体であり、第三者が容易にライセンス媒体３０３を読み取ることができる場合であっても、第三者による不正なライセンス有効化申請情報の生成を防止することが出来る。
【００４８】
また、ライセンスの有効化の有無に応じて利用可能な機能や、ソフトウェア製品のインストールの可否を制限する機能を、ソフトウェア製品３０１乃至ソフトウェア製品３０１のインストールプログラムに付与することとすれば、単にライセンス有効化の申請の可否を制限するのみではなく、ソフトウェア製品３０１の利用を直接的に制限することが出来る。
【００４９】
また、他の例としては、ソフトウェアライセンス有効化システム１００において、ソフトウェア製品３０１はソフトウェア媒体３０２及びライセンス媒体３０３からなるが、これに加えて、従来と同様に印刷物としてのライセンス証書を同梱し、書面でもライセンス固有情報をＳＷ使用者に通知することとしてもよい。
【００５０】
また、ソフトウェア媒体とライセンス媒体とは必ずしも同時にＳＷ使用者に納入する必要はなく、例えば、ソフトウェア媒体を納入する代わりに、ＳＷ使用者がネットワーク経由でソフトウェア製品をダウンロードすることとしてもよい。この場合、ＳＷ使用者にソフトウェア媒体を納入する必要はない。
【図面の簡単な説明】
【００５１】
【図１】本発明の一実施の形態であるソフトウェアライセンス有効化システム１００の機能ブロック図である。
【図２】ソフトウェアライセンス有効化システム１００にて有効化されるソフトウェア製品３０１として同梱されるソフトウェア媒体３０２及びライセンス媒体３０３を示す図である。
【図３】ライセンス固有情報の構造を説明するための図である。
【図４】ソフトウェア使用環境情報の構造を説明するための図である。
【図５】ＳＷ使用者側サブシステム１０２の機能ブロック図である。
【図６】従来のソフトウェア製品とその同梱物を説明するための図である。
【符号の説明】
【００５２】
１００    ソフトウェアライセンス有効化システム
１０１    ＳＷ販売者側サブシステム
１０２    ＳＷ使用者側サブシステム
１１０    媒体製造部
１１１    記憶装置（ソフトウェア固有情報）
１１２    記憶装置（ソフトウェア購入者情報）
１２０    媒体読取部
１３０    有効化申請情報生成部
１３１    ライセンス固有情報
１３２    記憶装置（ソフトウェア使用環境情報）
１４０    ライセンス有効化申請情報
３０１、６０１    ソフトウェア製品
３０２、６０２    ソフトウェア媒体
３０３    ライセンス媒体
５０１    読取装置
５０２    顧客端末
６０３    ライセンス証書
【図１】
2008262316.tif 000003
【図２】
2008262316.tif 000004
【図３】
2008262316.tif 000005
【図４】
2008262316.tif 000006
【図５】
2008262316.tif 000007
【図６】
2008262316.tif 000008